(57)【要約】【課題】竪樋を設置する作業者が、竪樋把持部１を、該竪樋把持部１が保持する竪樋の挿通方向が上下方向となるような向きで、打ち込み部２に対し回動しないように容易に固定することができる回動防止控え具を提供する。【解決手段】建物の外壁に固定する打ち込み部２と、竪樋を把持する竪樋把持部１と、竪樋把持部１にて打ち込み部２が挿通される挿通孔１５が設けられ、挿通孔１５の内面に挿通孔１５の周方向に亘って多数の凹凸が設けられ、凹凸と噛み合う凸部が打ち込み部２、を備える。【選択図】図１
2013091893.tif 000002
【特許請求の範囲】
【請求項１】
建物の外壁に固定する打ち込み部と、竪樋を把持する竪樋把持部と、前記竪樋把持部にて前記打ち込み部が挿通される挿通孔が設けられ、前記挿通孔の内面に前記挿通孔の周方向に亘って多数の凹凸が設けられ、前記凹凸と噛み合う凸部が前記打ち込み部に設けられることを特徴とする回動防止控え具。
【請求項２】
前記打ち込み部は頭部と、前記頭部から突出し外壁に打ち込まれる足部から構成され、前記挿通孔は建物の外方側を挿入口とし、建物の内方側を挿出口とし、前記挿通孔は前記打ち込み部の前記頭部が嵌め込まれる頭部嵌合孔と、前記打ち込み部の前記足部を前記挿入口側から前記挿出口側へとガイドする足部嵌合孔とから構成され、前記打ち込み部の前記頭部に前記凸部として頭部凸部が設けられ、前記頭部凸部と嵌合する周方向に亘って前記凹凸として頭部嵌合孔凹凸部が設けられること、を特徴とする請求項１記載の回動防止控え具。
【請求項３】
前記打ち込み部は頭部と、前記頭部から突出し外壁に打ち込まれる足部から構成され、前記挿通孔は建物の外方側を挿入口とし、建物の内方側を挿出口とし、前記挿通孔は前記打ち込み部の前記頭部が嵌め込まれる頭部嵌合孔と、前記打ち込み部の前記足部を前記挿入口側から前記挿出口側へとガイドする足部嵌合孔とから構成され、前記打ち込み部の前記足部に前記凸部として足部凸部が設けられ、前記足部凸部と嵌合する周方向に亘って前記凹凸として足部嵌合孔凹凸部が設けられること、を特徴とする請求項１又は２記載の回動防止控え具。
【発明の詳細な説明】
【技術分野】
【０００１】
本発明は、打ち込み部が外壁に打ち込まれた後、竪樋把持部の回動を防止する回動防止控え具に関する。
【背景技術】
【０００２】
従来より、打ち込み部の頭が矩形状で、竪樋把持部にあり打ち込み部の頭が嵌まり込む固定部も略矩形状で形成され、打ち込み部を外壁に打ち込んだ後、竪樋把持部が回動しないようにする控え具が知られている（特許文献１参照）。
【先行技術文献】
【特許文献】
【０００３】
【特許文献１】特開２０１０−２７５７０３号公報
【発明の概要】
【発明が解決しようとする課題】
【０００４】
ところで、特許文献１に記載された従来の控え具は、回動を防止するために打ち込み部の頭が矩形状で、竪樋把持部にある固定部の形状も略矩形状で形成され、それぞれが嵌合するようにしていた。しかし、それでは、打ち込み部の頭の上下の辺が水平に対して傾いていると、竪樋把持部に把持される竪樋の長手方向が鉛直方向から傾いてしまうため、竪樋の設置に困難が生じていた。
【０００５】
本発明は上記従来の問題点に鑑みて発明したものであって、その目的とするところは、竪樋を設置する作業者が、竪樋把持部を、該竪樋把持部が保持する竪樋の挿通方向が上下方向となるような向きで、打ち込み部に対し回動しないように容易に固定することができる回動防止控え具を提供することを課題とするものである。
【課題を解決するための手段】
【０００６】
上記課題を解決するために、本発明は、以下のような構成とする。
【０００７】
建物の外壁に固定する打ち込み部と、竪樋を把持する竪樋把持部と、前記竪樋把持部にて前記打ち込み部が挿通される挿通孔が設けられ、前記挿通孔の内面に前記挿通孔の周方向に亘って多数の凹凸が設けられ、前記凹凸と噛み合う凸部が前記打ち込み部に設けられること、を特徴とする。
【０００８】
前記打ち込み部は頭部と、前記頭部から突出し外壁に打ち込まれる足部とから構成され、前記挿通孔は建物の外方側を挿入口とし、建物の内方側を挿出口とし、前記挿通孔は前記打ち込み部の前記頭部が嵌め込まれる頭部嵌合孔と、前記打ち込み部の前記足部を前記挿入口側から前記挿出口側へとガイドする足部嵌合孔とから構成され、前記打ち込み部の前記頭部に前記凸部として頭部凸部が設けられ、前記頭部凸部と嵌合する周方向に亘って前記凹凸として頭部嵌合孔凹凸部が設けられることが好ましい。
前記打ち込み部は頭部と、前記頭部から突出し外壁に打ち込まれる足部とから構成され、前記挿通孔は建物の外方側を挿入口とし、建物の内方側を挿出口とし、前記挿通孔は前記打ち込み部の前記頭部が嵌め込まれる頭部嵌合孔と、前記打ち込み部の前記足部を前記挿入口側から前記挿出口側へとガイドする足部嵌合孔とから構成され、前記打ち込み部の前記足部に前記凸部として足部凸部が設けられ、前記足部凸部と嵌合する周方向に亘って前記凹凸として足部嵌合孔凹凸部が設けられることが好ましい。
【発明の効果】
【０００９】
本発明にあっては、竪樋を設置する作業者が、竪樋把持部を、該竪樋把持部が保持する竪樋の挿通方向が上下方向となるような向きで、打ち込み部に対し回動しないように容易に固定することができる。
【図面の簡単な説明】
【００１０】
【図１】本発明の回動防止控え具の第一実施形態の打ち込み部挿入前の斜視図である。
【図２】回動防止控え具の打ち込み部挿入後の斜視図である。
【図３】（ａ）は第一実施形態での竪樋把持部の頭部嵌合孔凹凸部を示した要部拡大図であり、（ｂ）は第一実施形態での打ち込み部の頭部凸部を示した平面図である。
【図４】本発明の回動防止控え具の第二実施形態の打ち込み部挿入前の斜視図である。
【図５】（ａ）は第二実施形態での竪樋把持部の足部嵌合孔凹凸部を示した要部拡大図であり、（ｂ）は第二実施形態での打ち込み部の足部凸部を示した平面図であり、（ｃ）は第二実施形態での打ち込み部の足部凸部を示した正面図の要部拡大図である。
【発明を実施するための形態】
【００１１】
以下、本発明の第一実施形態について図１乃至図３に基いて説明する。
【００１２】
第一実施形態の回動防止控え具は、打ち込み部２を建物の外壁に打ち込んだ後、竪樋把持部１を取り付ける際、竪樋把持部１が傾かないようにするものである。
【００１３】
本実施形態の回動防止控え具は、竪樋を把持する竪樋把持部１と、建物の外壁に打ち込む打ち込み部２から主体が構成されている。また、回動防止控え具は、金属に限らず、合成樹脂で形成されてもよい。
竪樋把持部１は半円弧状をしたハーフリングが二つあり、建物の外方側のハーフリングを外側ハーフリング１１、建物の内方側のリングを内側ハーフリング１２とし、各ハーフリング１１、１２の一端が枢支部１３により回動自在に連結されている。各ハーフリングの他端には係合部１４が形成されている。この係合部１４は一方のハーフリング（本実施形態では内側ハーフリング１２）の係合部１４は軸状部１４ａ、他方のハーフリング（本実施形態では外側ハーフリング１１）の係合部１４は被嵌部１４ｂで形成されている。係合部１４の動作は被嵌部１４ｂが軸状部１４ａを乗り越えて係合したり、離脱をしたりすることで、その形状は連結し一つのリングとなったり、二つのハーフリングとなったりと変化する。また、ハーフリングの形状が半円弧状としたが、その形状は一方が円弧の半分以上で他方が円弧の半分以下というものや、平面視略矩形等の多角形であってもよい。
内側ハーフリング１２の略中心に打ち込み部２が挿通される挿通孔１５がある。その挿通孔１５の建物の外方側を挿入口１５ａとし、建物の内方側を挿出口１５ｂとしている。挿通孔１５は打ち込み部２の頭部２１が嵌め込まれる頭部嵌合孔１６、打ち込み部２の足部２２を挿入口１５ａ側から挿出口１５ｂ側へとガイドする足部嵌合孔１７、という径が異なる二つの孔から形成されている。頭部嵌合孔１６の方が足部嵌合孔１７よりその径は広く取られている。
【００１４】
打ち込み部２は、頭部２１と足部２２から構成される。
本実施形態では頭部２１の外周に凸部として頭部凸部２１ａが設けられている。ここで頭部凸部２１ａは三角形に限らず矩形状であってもよく、頭部嵌合孔１６の周方向に亘って設けられている多数の凹凸を頭部嵌合孔凹凸部１６ａとし、その頭部嵌合孔凹凸部１６ａと嵌合の関係になるのであれば、どのような形状でもよい。また、外周全てを凸部としてもよい。
頭部嵌合孔凹凸部１６ａの形状は、三角形に限らず矩形状でもよく、頭部凸部２１ａと嵌合するのであればどのような形状でもよい。また、頭部嵌合孔凹凸部１６ａは全周に設けられていてもよく、一部に設けられていてもよい。本実施形態では図３に示すように、頭部嵌合孔１６の凹凸は２４個あり一つの角度は１５°で凹凸が形成されている。しかし、頭部嵌合孔１６の凹凸の個数や角度はこれに限定されず、頭部凸部２１ａと嵌合の関係になるように形成されればよい。本実施形態によれば、頭部凸部２１ａがどの方向に位置されていたとしても、竪樋把持部１が傾くことなく、竪樋の挿通方向が上下方向となるような向きで、打ち込み部２に対し回動しないように容易に固定することができる
次に、第二実施形態について図４、図５に基づいて説明する。なお、本実施形態については図１乃至図３に示す上記第一実施形態と大部分について同じであるため、同じ構成については同符号を付して説明を省略し、主に異なる部分について説明する。第二実施形態では、打ち込み部２の頭部２１と足部２２の接合部から、円錐状に尖っている先鋭部２３に向けて任意の長さの足部凸部２２ａを設ける。足部凸部２２ａは任意の長さとしたが、足部凸部２２ａが長すぎると、滑らかに打ち込まれにくくなる虞がある。また足部凸部２２ａが短すぎても嵌合しない虞がある。この足部凸部２２ａは三角形に限らず矩形状でもよく、足部嵌合孔１７の周方向に亘って設けられている多数の凹凸を足部嵌合孔凹凸部１７ａとし、その足部嵌合孔凹凸部１７ａと嵌合の関係になるのであれば、どのような形状でもよい。また凸部は一つに限らず、外周全てを凸部にしてもよい。
足部嵌合孔凹凸部１７ａの形状は、三角形に限らず矩形状でもよく、足部凸部２２ａと嵌合するのであれば、どのような形状でもよい。また、足部嵌合孔１７の凹凸は全周に設けられていてもよく、一部に設けられていてもよい。本実施形態の図５では、足部嵌合孔１７の凹凸は１８個あり一つの角度は２０°で凹凸が形成されている。しかし、足部嵌合孔１７の凹凸の個数や角度はこれに限定されず、足部凸部２２ａと嵌合の関係になるように形成されればよい。本実施形態によれば、足部凸部２２ａがどの方向に位置されていたとしても、竪樋把持部１が傾くことなく、竪樋の挿通方向が上下方向となるような向きで、打ち込み部２に対し回動しないように容易に固定することができる。
【符号の説明】
【００１５】
１    竪樋把持部
１１  外側ハーフリング
１２  内側ハーフリング
１３  枢支部
１４  系合部
１４ａ  軸状部
１４ｂ  被嵌部
１５  挿通孔
１５ａ  挿入口
１５ｂ  挿出口
１６  頭部嵌合孔
１６ａ  頭部嵌合孔凹凸部
１７  足部嵌合孔
１７ａ  足部嵌合孔凹凸部
２    打ち込み部
２１  頭部
２１ａ  頭部凸部
２２  足部
２２ａ  足部凸部
２３  先鋭部
【図１】
2013091893.tif 000003
【図２】
2013091893.tif 000004
【図３】
2013091893.tif 000005
【図４】
2013091893.tif 000006
【図５】
2013091893.tif 000007